(57)【要約】【課題】良好な撮影操作性を維持すると共にメンテナンス時の内蔵電池の消耗を防止できる写真処理システム、写真処理方法を提供する。【解決手段】写真処理システムのデジタルカメラは、前記デジタルカメラの電源を供給する外部電源の出力電圧が正常か否かを判定する判定手段と、前記判定手段が前記外部電源の出力電圧が正常であると判定した場合に、撮像素子が受光した光をそのまま縮小して表示可能なライブビューモードで前記デジタルカメラを作動させ、前記判定手段が前記外部電源の出力電圧が異常であると判定した場合に、光学ユニットに入斜した光をファインダーを通して確認可能なファインダーモードで作動させる制御手段とを備える。【選択図】図４
2011035653.tif 000002
【特許請求の範囲】
【請求項１】
情報処理装置がデジタルカメラ及び印刷装置と通信可能に構成され、写真の撮影と印刷とを行う写真処理システムであって、
前記デジタルカメラは、
前記デジタルカメラの電源を供給する外部電源の出力電圧が正常か否かを判定する判定手段と、
前記判定手段が前記外部電源の出力電圧が正常であると判定した場合に、撮像素子が受光した光をそのまま縮小して表示可能なライブビューモードで前記デジタルカメラを作動させ、前記判定手段が前記外部電源の出力電圧が異常であると判定した場合に、前記ライブビューモードをオフにする制御手段とを備えることを特徴とする写真処理システム。
【請求項２】
前記判定手段は、前記デジタルカメラの起動時に前記外部電源の出力電圧を判定し、
前記デジタルカメラは、
前記判定手段の前記デジタルカメラの起動時における判定結果であるステータス情報を前記情報処理装置に送信するステータス送信手段を更に備え、
前記情報処理装置は、受信した前記ステータス情報に応じて、第１の撮影画面とプレビュー表示をすることなく撮影画像と合成するテンプレートを切替えるテンプレート切替手段を備えた第２の撮影画面のいずれか１つの画面を表示する表示制御手段を備えることを特徴とする請求項１記載の写真処理システム。
【請求項３】
前記判定手段は、前記デジタルカメラの起動時以外に前記外部電源の出力電圧を判定し、
前記ステータス送信手段は、前記外部電源の出力電圧が異常から正常に変化したと判定した場合に前記ステータス情報を前記情報処理装置に送信することを特徴とする請求項２記載の写真処理システム。
【請求項４】
情報処理装置がデジタルカメラ及び印刷装置と通信可能に構成され、写真の撮影と印刷とを行う写真処理システムの制御方法であって、
前記デジタルカメラは、
前記デジタルカメラの電源を供給する外部電源の出力電圧が正常か否かを判定する判定ステップと、
前記判定ステップにおいて前記外部電源の出力電圧が正常であると判定した場合に、撮像素子が受光した光をそのまま表示可能なライブビューモードで前記デジタルカメラを作動させ、前記判定ステップにおいて前記外部電源の出力電圧が異常であると判定した場合に、前記ライブビューモードをオフにする制御ステップとを備えることを特徴とする写真処理システム。
【発明の詳細な説明】
【技術分野】
【０００１】
本発明は、写真処理システム、写真処理方法に関し、特にデジタルカメラと印刷装置とが情報処理装置と接続された一体型の写真処理システム、写真処理方法に関する。
【背景技術】
【０００２】
ゲームセンター等に設置されている一体型の写真処理システムである写真撮影・印刷装置が広く普及しており、写真を撮影して、所望のテンプレートと組合せて、所望の印刷スタイルでシールタイプの用紙に複数の写真を印刷するサービス形態で好評を博している。これらの一体型の写真撮影・印刷装置にはデジタルカメラと情報処理装置と印刷装置が内蔵されており、デジタルカメラが撮影した画像を情報処理装置内でテンプレートと組合せて印刷装置から出力する。
【０００３】
その際に情報処理装置側からデジタルカメラの設定を変更することも可能となっており、特許文献１ではデジタルカメラとＰＣとを通信可能に構成し、デジタルカメラ側がマスターとなる第１撮影モードとＰＣ側がマスターとなる第１撮影モードとを適宜切り換えて、高度な撮影条件を簡単に設定して操作性良く撮影できる撮像システムが開示されている。
【先行技術文献】
【特許文献】
【０００４】
【特許文献１】特開２００４−２１５０４２号公報
【発明の概要】
【発明が解決しようとする課題】
【０００５】
しかしながら、特許文献１に記載の従来技術によれば、カメラで実際に撮影する画像を確認することが困難であるという問題がある。すなわち、従来の一体型の写真撮影・印刷装置においては、デジタルカメラのレンズを被写体である利用者に向け、撮影後に撮影された画像を初めてディスプレイに表示するため、表情を確認しながらシャッターを適切なタイミングで押下することができなかった。
【０００６】
本発明は上記課題を解決するためになされたものであり、撮影前に実際の画角や被写体の配置を正確に確認可能な撮影・印刷システムを提供すると共に、外部電源故障やメンテナンス時のデジタルカメラの消費電力を抑制して内蔵電池の消耗を抑えることができる写真処理システム及びその制御方法を提供することを目的とする。
【課題を解決するための手段】
【０００７】
上記課題を解決するために、本発明の写真処理システムは、
情報処理装置がデジタルカメラ及び印刷装置と通信可能に構成され、写真の撮影と印刷とを行う写真処理システムであって、
前記デジタルカメラは、
前記デジタルカメラの電源を供給する外部電源の出力電圧が正常か否かを判定する判定手段と、
前記判定手段が前記外部電源の出力電圧が正常であると判定した場合に、撮像素子が受光した光をそのまま縮小して表示可能なライブビューモードで前記デジタルカメラを作動させ、前記判定手段が前記外部電源の出力電圧が異常であると判定した場合に、前記ライブビューモードをオフにする制御手段とを備えることを特徴とする。
【０００８】
上記課題を解決するために、本発明の写真処理システムは、好ましくは、前記判定手段は、前記デジタルカメラの起動時に前記外部電源の出力電圧を判定し、
前記デジタルカメラは、
前記判定手段の前記デジタルカメラの起動時における判定結果であるステータス情報を前記情報処理装置に送信するステータス送信手段を更に備え、
前記情報処理装置は、受信した前記ステータス情報に応じて、第１の撮影画面とプレビュー表示をすることなく撮影画像と合成するテンプレートを切替えるテンプレート切替手段を備えた第２の撮影画面のいずれか１つの画面を表示する表示制御手段を備えることを特徴とする。
【０００９】
上記課題を解決するために、本発明の写真処理システムは、好ましくは、前記判定手段は、前記デジタルカメラの起動時以外に前記外部電源の出力電圧を判定し、
前記ステータス送信手段は、前記外部電源の出力電圧が異常から正常に変化した場合に前記ステータス情報を前記情報処理装置に送信することを特徴とする。
【００１０】
上記課題を解決するために、本発明の写真処理システムの制御方法は、情報処理装置がデジタルカメラ及び印刷装置と通信可能に構成され、写真の撮影と印刷とを行う写真処理システムの制御方法であって、
前記デジタルカメラは、
前記デジタルカメラの電源を供給する外部電源の出力電圧が正常か否かを判定する判定ステップと、
前記判定ステップにおいて前記外部電源の出力電圧が正常であると判定した場合に、撮像素子が受光した光をそのまま縮小して表示可能なライブビューモードで前記デジタルカメラを作動させ、前記判定ステップにおいて前記外部電源の出力電圧が異常であると判定した場合に、前記ライブビューモードをオフにする制御ステップとを備えることを特徴とする。
【発明の効果】
【００１１】
請求項１記載の発明によれば、一体型の写真撮影・印刷システムにおいて実際に撮影される画角を確認しながら効率的に撮影を行えると共に、メンテナンス時のデジタルカメラの内蔵電池の消耗を防止することができる。
【００１２】
請求項２記載の発明によれば、請求項１記載の発明の効果に加えて、
外部電源の出力電圧に異常があることを容易に判断することができるという効果を奏する。
【図面の簡単な説明】
【００１３】
【図１】本発明の実施の形態における写真処理システムのシステム構成を示す図である。
【図２】本発明の実施の形態における情報処理装置１０１のハードウェア構成を示す図である。
【図３】本発明の実施の形態におけるデジタルカメラ１００の機能構成を示す図である。
【図４】本発明の実施の形態における写真処理システムである一体型の写真撮影・印刷装置の全体処理を示すフローチャートである。
【図５】本発明の実施の形態における図４のステップＳ４４５の撮影・印刷処理（１）の詳細処理を示すフローチャートを示す図である。
【図６】本発明の実施の形態における図４のステップＳ４４６の撮影・印刷処理（２）の詳細処理を示すフローチャートを示す図である。
【図７】本発明の実施の形態における初期画面の一例を示す図である。
【図８】本発明の実施の形態におけるテンプレート選択画面の一例を示す図である。
【図９】本発明の実施の形態における撮影画面の一例を示す図である。
【図１０】本発明の実施の形態における印刷設定画面の一例を示す図である。
【図１１】本発明の実施の形態におけるファインダーモード時の撮影画面の初期状態の一例を示す図である。
【図１２】本発明の実施の形態におけるファインダーモード時の撮影画面の初期状態の一例を示す図である。
【図１３】本発明の実施の形態における一体型の写真撮影・印刷装置の外観を示す斜視図である。
【発明を実施するための形態】
【００１４】
以下、図面を参照して、本発明の実施形態を詳細に説明する。図１は、本発明の実施の形態における写真処理システムのシステム構成図である。本実施形態では、大きく分けてデジタルカメラなどの情報入力装置（以下デジタルカメラという）１００と情報処理装置１０１と印刷装置１１２の３つに大きく分かれる。情報処理装置１０１は、通常パーソナルコンピュータ（以下ＰＣという）やいわゆるワークステーションを用い、この内部には図２に示すＣＰＵ２１（演算処理装置）や、一次記憶装置であるＲＡＭ２２、読出し専用メモリであるＲＯＭ２３、ネットワークインタフェースカードであるＮＩＣ２４、表示装置（ディスプレイ）と接続するためのビデオグラフィックアダプタであるＶＧＡ２５、データや命令を入力するための操作装置であるキーボード６５やマウス２７、二次記憶装置であるハードディスクドライブ２８、プログラムやデータを記憶しているＣＤ−ＲＯＭやＤＶＤの読み書きを行うＤＶＤドライブ２９は、データや命令の通り道であるバス２０を介して接続されている。又ＶＧＡ２５にはディスプレイが接続されている。
【００１５】
デジタルカメラ１００は、レンズ、撮像素子（例えばＣＭＯＳ又はＣＣＤ）、駆動回路等を含んだ光学ユニット１０５、光学ユニット１０５が取り込んだ画像データ等を処理するデジタル信号処理回路（ＤＳＰ）１０４、デジタルカメラ全体の制御を司る演算装置（ＣＰＵ）１０３、プログラムエリア及びワークエリアとして用いるＤＲＡＭ等の主記憶部（ＲＡＭ）１０６、デジタルカメラの設定情報やデジタルカメラの制御プログラムの一部を記憶する不揮発性の内蔵フラッシュメモリ等の２次記憶装置１０７、押しボタン等の操作部１０８、ライブビュー画像や撮影済画像の縮小画像やカメラの設定情報を表示するための液晶（ＬＣＤ）等の表示部１０９、デジタルカメラ本体の制御プログラムを記憶している読み出し専用メモリ（ＲＯＭ）１１０、コンパクトフラッシュ（登録商標）メモリーカード等着脱可能な撮影画像及び撮影画像に関する管理情報を記憶するためのメモリーカード１１１、前記ＰＣとの接続及び画像の送受信を制御する通信制御装置１０２から構成される。
【００１６】
印刷装置１１２はいわゆるフォトプリンタであり、典型的にはインクジェットタイプのプリンタを用いるが、小型のカラーレーザプリンタや静電プリンタを用いても良い。印刷可能なサイズは、Ｌ版乃至２Ｌ版やキャビネサイズのカラー写真を印刷できるものであれば良く、Ｌ版専用でも良い。
【００１７】
図２は情報処理装置１０１のハードウェア構成を示す図であり、図２においてＣＰＵ２１、ＲＡＭ２２、ＲＯＭ２３、ＮＩＣ２４、ビデオグラフィックアダプタＶＧＡ２５、キーボード２６、マウス２７、ハードディスク２８、ＤＶＤドライブ２９はそれぞれシステムバス２０を介して互いに接続されている。システムバス２０は例えばＰＣＩバス、ＡＧＰバス、メモリバス等を意味する。又図２では、各バス間の接続用チップやキーボードインタフェースやいわゆるＳＣＳＩやＡＴＡＰＩのような入出力用インタフェースは省略されている。
【００１８】
ＣＰＵ２１はオペレーションシステムのプログラムや前述したメーラやコンテンツ配信側／受信側プログラムなどのアプリケーションプログラムに基づいて四則演算や比較演算等の各種の演算や、ハードウェアの制御を行う。ＲＡＭ２２には、ハードディスク２８やＤＶＤドライブ２９に装着されたＤＶＤ−ＲＯＭやＣＤ等の記憶媒体から読み出されたオペレーティングシステムのプログラムやアプリケーションプログラム等が記憶され、これらはＣＰＵ２１の制御の下に実行される。
【００１９】
ＲＯＭ２３にはオペレーティングシステムと協働してハードディスク等への入出力を司るいわゆるＢＩＯＳ等が記憶される。ネットワークインタフェースカードＮＩＣ２４は、ＣＰＵ２１によって制御されるオペレーティングシステムの通信プログラムと協働してネットワークを介した外部との通信を行う。ビデオグラフィックアダプタＶＧＡ２５はディスプレイ装置に出力する画像信号を生成し、キーボード２６やマウス２７は情報処理装置への指示を入力するために用いられる。キーボード２６からの入力内容はＲＡＭ２２のキーボードバッファに記憶され、マウスからの入力内容（ボタンの種類と操作、操作があった座標等）はマウスイベントとしてＲＡＭ２２に記憶され、これらの入力内容はオペレーティングシステムを介してアプリケーションプログラムに引き渡される。
【００２０】
情報処理装置１０１のハードディスク２８はオペレーティングシステムや前述のアプリケーションプログラム（図４及び図５のフローチャートの処理を実行するためのプログラム及び図７乃至図１１の各画面を表示）や各種データベースや、各種マスタファイルを記憶している。ＤＶＤドライブ２９はＤＶＤ−ＲＯＭやＣＤ−ＲやＣＤ−Ｒ／Ｗ等の記憶媒体を装着してアプリケーションプログラムをハードディスク２８にインストールするのに用いる。なおＤＶＤドライブの代わりにＣＤ−ＲやＣＤ−Ｒ／Ｗ用ドライブやＭＯドライブ、ＤＶＤ＋−Ｒ用ドライブ、ブルーレイ用ドライブ等を用いても良いのは言うまでもない。
【００２１】
次に図３はデジタルカメラ１００の機能構成を示すブロック図である。まず接続判定部３０１は内蔵電池の出力電圧と、デジタルカメラ１００の外部電源であって商用電源を入力しデジタルカメラ１００用の直流電圧を出力するＡＣアダプタの出力側の出力電圧とを判定しており、ＡＣアダプタの出力側の出力電圧が所定電圧を超えている場合は、ＡＣアダプタから供給される電力を外部電源として使用し、ＡＣアダプタの出力側の出力電圧が所定電圧未満の場合は、内蔵電池から供給される電力を電源として使用する。起動制御部３０２は起動時のセルフチェックと接続判定部３０１の判定結果に応じた起動時の起動モード（撮像素子が受光した光をそのままのレイアウトで画素数を減らして表示可能なライブビューモードと、光学ユニットに入斜した光をファインダーを通して確認可能なファインダーモードのいずれかで起動するかのモード）を制御する機能を有する。
【００２２】
表示制御部３０３は起動制御部３０２が制御する起動時の起動モードに応じた表示制御を行う。撮影制御部３０４は設定記憶部３０６に記憶している設定情報（撮影時の各種パラメータ）を用いて撮影を制御する。設定制御部３０５は設定記憶部３０６の設定情報の追加・変更・削除を制御する（ＲＯＭ１１０に制御プログラムとして記憶されている）。画像処理部３０６は撮影したＲＡＷ画像ＪＰＥＧ等の所定のフォーマットに変更する画像処理プログラムであり、ＤＳＰ１０４用の不図示のフラッシュメモリに記憶されている。設定記憶部３０７はデジタルカメラ１００の各種撮影設定（撮影パラメータ）を記憶するもので二次記憶部１０７に該当する。画像記憶部３０８はデジタルカメラ１００が撮影して画像処理部３０６が処理した画像を記憶するものであり、メモリーカード１１１に該当する。
【００２３】
次に図１３は本発明の一体型の写真撮影・印刷装置６０の外観を示す斜視図であり、一体型の写真撮影・印刷装置６０の本体には液晶表示部６１とメモリーカードリーダ６２、デジタルカメラ６３（レンズ部分が正面を向いている）、紙幣・硬貨等の貨幣を挿入する貨幣収納装置６４、操作部６５（キーボード及び押しボタン）、印刷装置１１２の出力部６６を備えている。液晶表示部６１は情報処理装置１０１のディスプレイアダプタＶＧＡ２５（図２）とディスプレイ用ケーブルを介して接続されている。メモリーカードリーダ６２と貨幣収納装置６４と操作部６５とはそれぞれ情報処理装置１０１と接続されている。なお、デジタルカメラ６３は適当な角度（３０度程度）上方に傾けて設置されており、被写体（最大３〜４名）の上半身が写り、他方キーボード６５等が写らないようになっており、デジタルカメラ６３の脇には不図示のストロボが内蔵されており、キーボード６５の傍には不図示のマウスがある。又デジタルカメラ６３で撮影した画像をメモリーカードリーダ６２にメモリーカードを挿入することで書きだすことも可能になっている。
【００２４】
次に図４は本発明の実施の形態における本発明の写真処理システムである一体型の写真撮影・印刷装置の全体処理を示すフローチャートである。図４でステップＳ４２０乃至ステップＳ４３１はデジタルカメラ１００のＣＰＵ１０３の制御の下で実行する処理であり、ステップ４４０乃至ステップ４４６は情報処理装置１０１のＣＰＵ２１の制御の下で実行する処理である。
【００２５】
まず、ステップＳ４２０では、デジタルカメラ１００は、一体型の写真撮影・印刷装置６０の本体の電源がＯＮされた後、ＲＯＭ１１０から自己診断プログラム（ハードウェアチェックプログラム）を読み出して実行する。自己診断プログラムで問題を検出した場合は、表示部１０９にエラーメッセージを表示すると共に情報処理装置１０１にエラーメッセージを送信して処理を終了する。自己診断プログラムが問題なく終了した場合は、処理をステップＳ４２１に進める。
【００２６】
次にステップＳ４２１では、デジタルカメラ１００のＣＰＵ１０３は、ＡＣアダプタの出力電圧が所定値（例えばデジタルカメラ１００本体の電源電圧がＤＣ６Ｖの場合に所定値はＤＣ５．８Ｖ）以上かを判定してＲＡＭ１０６のワークエリアに判定結果を記憶し、処理をステップＳ４２２に進める。ステップＳ４２２では、デジタルカメラ１００は、ステップＳ４２１の判定結果に応じて処理を分岐する。ＲＡＭ１０６のワークエリアを参照してＡＣアダプタの出力電圧が所定値以上であれば、ＡＣアダプタがオン状態にあると判断して処理をステップＳ４２３に進める。他方ＡＣアダプタの出力電圧が所定値未満であれば、ＡＣアダプタがオフ状態にあると判断して処理をステップＳ４２５に進める。
【００２７】
ステップＳ４２３では、デジタルカメラ１００のＣＰＵ１０３は表示部１０９をライブビューモードに切り替えてレンズを通して入射する光を撮像素子（ＣＭＯＳ又はＣＣＤ）で受けて、電気信号に変換・増幅して、ステップＳ４２４では、ＶＧＡ２５経由で液晶画面（液晶表示部６１）にライブビュー画像を表示し、ＣＰＵ１０３は処理をステップＳ４２６に進める。
【００２８】
他方ステップＳ４２５では、デジタルカメラ１００のＣＰＵ１０３は表示部１０９をファインダーモードに切り替えて、処理をステップＳ４２６に進める。ＡＣアダプタがオフの状態でライブビューモードを維持すると内蔵電池の消耗が早いためであり、その際情報処理装置１０１の液晶画面（液晶表示部６１）には、後述するステップＳ４４２にて図１１に示すような画面が表示されることになる。ＣＰＵ１０３は処理をステップＳ４２６に進める。
【００２９】
ステップＳ４２６では、デジタルカメラ１００のＣＰＵ１０３はデジタルカメラ１００が現在ライブビューモードとファインダーモードのいずれであるかを示すステータス情報を情報処理装置１０１に送信して、処理をステップＳ４２７に進める。
【００３０】
ここでデジタルカメラ１００側の説明を一旦中断して情報処理装置１０１側の処理について説明する。まずステップ４４０では情報処理装置１０１は一体型の写真撮影・印刷装置６０の本体の電源がＯＮされた後、ＲＯＭ２３から自己診断プログラム（ハードウェアチェックプログラム）を読み出して実行する。自己診断プログラムで問題を検出した場合は、ＶＧＡ２５経由で液晶表示部６１にエラーメッセージを表示して処理を終了する。自己診断プログラムが問題なく終了した場合は、処理をステップＳ４４１に進める。  ステップＳ４４１では、情報処理装置１０１のＣＰＵ２１は、図７に示す初期画面を表示し、処理をステップＳ４２２に進める。
【００３１】
ステップＳ４４２では、情報処理装置１０１のＣＰＵ２１は、デジタルカメラ１００からのステータス情報の受信を待つ。ステータス情報を受信すると，受信したステータス情報をＲＡＭ２２のワークエリアに記憶して処理をステップＳ４４３に進める。ステップＳ４４３では、情報処理装置１０１のＣＰＵ２１は、貨幣収納装置６４に貨幣が投入されたかを判定し、貨幣が投入されたと判定した場合は処理をステップＳ４４４に進め、他方貨幣が投入されていないと判定した場合は処理をステップＳ４４２に戻す。
【００３２】
ステップＳ４４４では、情報処理装置１０１のＣＰＵ２１は、ＲＡＭ２２のワークエリアに記憶したステータス情報が、ライブビューモードであることを意味するか否かを判定して処理を分岐する。ライブビューモードであることを意味する場合は処理をステップＳ４４５に進め、ライブビューモードでない場合（ファインダーモードである場合）は、処理をステップＳ４４６に進める。ステップＳ４４５では、情報処理装置１０１のＣＰＵ２１は、ライブビューモードでの撮影及び印刷処理（撮影・印刷処理（１））を実行した後、処理をステップＳ４４２に戻す。ステップＳ４４５の撮影・印刷処理（１）の詳細は図５のフローチャートで詳述する。ステップＳ４４６では、情報処理装置１０１のＣＰＵ２１は、ファインダーモードでの撮影及び印刷処理（撮影・印刷処理（２））を実行した後、処理をステップＳ４４２に戻す。ステップＳ４４６の撮影・印刷処理（２）の詳細は図６のフローチャートで詳述する。
【００３３】
次にデジタルカメラ１００側の残りの処理について説明する。上述したように、デジタルカメラ１００のＣＰＵ１０３は、ステップＳ４２６でステータス情報を送信した後、処理をステップＳ４２７に進める。ステップＳ４２７では、デジタルカメラ１００のＣＰＵ１０３は、情報処理装置１０１からの制御信号の受信待ち状態になり、一定の時間間隔（例えば０．１秒間隔）で処理をステップＳ４２８に進める。
【００３４】
ステップＳ４２８では、デジタルカメラ１００のＣＰＵ１０３は、情報処理装置１０１から制御情報（例えばデジタルカメラ１００側の焦点距離の変更などの撮影設定情報や、シャッター押下などの撮影制御情報）を受信したかを判定し、制御信号を受信した場合は処理をステップＳ４２９に進める。ステップＳ４２９では、デジタルカメラ１００のＣＰＵ１０３は、受信した制御信号（例えばテレ側にズームする、ワイド側にズームする等）に応じた動作を行い処理をステップＳ４２７に戻す。他方、制御信号を受信しない場合は処理をステップＳ４３０に進める。
【００３５】
ステップＳ４３０では、デジタルカメラ１００のＣＰＵ１０３は、ＲＡＭ１０６のワークエリアに記憶されているステップＳ４２１の判定結果を読みだすと共に、ＡＣアダプタの出力電圧が所定値以上かを判定し、ＡＣアダプタがオフからオンに又はオンからオフに変わったかを判定し、処理をステップＳ４３１に進める。ステップＳ４３１では、デジタルカメラ１００のＣＰＵ１０３は、ステップＳ４３０でオフからオンに変わった又はオンからオフに変わったと判定した場合は、オンからオフに変わった旨をＲＡＭ１０６のワークエリアに記憶し、処理をステップＳ４２２に進める。ＡＣアダプタがオンのままか、オフのままと判定した場合は処理をステップＳ４２７に戻す。このように構成することで起動時以外におけるＡＣアダプタの出力電圧の変化を適宜判定してそれに応じたステータス情報を情報処理装置１０１に送信して、情報処理装置１０１側でそれに応じた画面の表示制御を行うことが可能になる。
【００３６】
以上で図４の説明を終わる。図４の処理によれば、デジタルカメラ１００のＡＣアダプタのオン・オフを適宜判定してライブビューモードとファインダーモードとを切り替えるので、停電時やメンテナンス時等にＡＣアダプタがオフになっていれば、ファインダーモードに切り替え、オンになればライブビューモードになるので、内蔵電池の消耗を招くことなく、ライブビューモードを活用した効率的かつ利用者の意図に有った写真を効率よく撮影することができる。
【００３７】
次に図４のステップＳ４４５の撮影・印刷処理（１）の詳細について、図５のフローチャートを用いて説明する。図５のフローチャートでステップＳ５４０乃至ステップ５５５は情報処理装置１０１のＣＰＵ２１の制御の下で実行する処理であり、ステップＳ５２０乃至ステップＳ５２４は、デジタルカメラ１００のＣＰＵ１０３の制御の下で実行する処理である。図５のフローチャートの処理はデジタルカメラ１００がライブビューモードで作動していることを前提としている。
【００３８】
まず、ステップＳ５２０では、デジタルカメラ１００のＣＰＵ１０３は、ライブビュー画像を情報処理装置１０１に送信する。ステップＳ５４０では、情報処理装置１０１のＣＰＵ２１はライブビュー画像（光学ユニット１０５の撮像素子が現在受光している光を元にしたリアルタイムな画像）を受信し、液晶表示部６１に表示し、処理をステップ５４１に進める。
【００３９】
ステップＳ５４１では、情報処理装置１０１のＣＰＵ２１は、ＲＡＭ２２のワークエリアを参照し、操作判定を行う。具体的にはキーボードバッファ及びマウスイベントの有無（画面の各ボタンの押下等のマウスベント）及び液晶表示部の各ボタン等の所定位置をタッチした旨のイベントから操作の有無及び操作内容を判定し、判定した結果をＲＡＭ２２のワークエリアに記憶して処理をステップＳ５４２に進める。但し、操作内容が画面の遷移の指示である場合は、その操作内容に応じて画面を遷移させた後、処理をステップ５４２に進める。例えば図７の初期画面で「次の画面」ボタン７１がマウス２７の入力により押下又は液晶表示部６１でタッチされる（以下これらボタンが操作されると記す）と図８のテンプレート選択画面に遷移する。又図８のテンプレート選択撮影画面で「次の画面」ボタン８２が操作されると図９の撮影画面に遷移する。又図９の撮影画面で「次の画面」ボタン９８が操作されると図１０の印刷設定画面に遷移する。同様に各画面で「前の画面」ボタン（図９の９７や図１０の１００６）が操作されると一つ前に表示されていた画面、例えば図９から図８の画面、図１０から図９の画面に遷移する。
【００４０】
ステップＳ５４２では、情報処理装置１０１のＣＰＵ２１は、撮影設定操作があった否かを判定する。撮影設定操作とは、撮影時の設定を行う操作であり、例えば画角（ワイド／テレ）の調整であり図９の撮影画面が表示されている場合に図９の「アップ」ボタン９５や「ワイド」ボタン９６を操作した場合や、あるいは図９の撮影画面で「取消」ボタン９４を操作した場合を意味する。撮影設定操作があったと判定した場合は処理をステップＳ５４３に進める。ステップＳ５４３ではステップＳ５４２で判定した撮影設定操作をＲＡＭ２２のワークエリアに記憶し、処理をステップＳ５４４に進める。
【００４１】
ステップＳ５４４では、情報処理装置１０１のＣＰＵ２１は、ＲＡＭ２２のワークエリアを参照して、撮影設定操作がデジタルカメラ１００側の設定の操作であるか情報処理装置１０１側の設定の操作であるかを判定し、デジタルカメラ１００側の設定の操作であると判定した場合は処理をステップＳ５４５に進め、情報処理装置１０１側の設定の操作であると判定した場合は処理をステップＳ５４６に進める。
【００４２】
ステップＳ５４５では、情報処理装置１０１のＣＰＵ２１は、設定情報をデジタルカメラ１００に送信し、処理をステップＳ５４６に進める。具体的には、図９の撮影画面で「アップ」ボタンを操作した場合にはデジタルカメラ１００焦点距離をテレ側（焦点距離を長くする側）に移動する旨のデジタルカメラの制御情報の一種としての設定情報が送信され、「ワイド」ボタンを操作した場合にはデジタルカメラ１００焦点距離をワイド側（焦点距離を短くする側）に移動する旨のデジタルカメラの制御情報の一種としての設定情報が送信される。デジタルカメラ１００のＣＰＵ１０３はステップＳ５２１で設定情報を受信し、処理をステップＳ５２２に進める。ステップＳ５２２では、デジタルカメラ１００のＣＰＵ１０３は設定情報を設定記憶部３０７に記憶すると共に、設定制御部３０５によって対応する制御操作（焦点距離をワイド又はテレに変更する操作）を実行する。
【００４３】
情報処理装置１０１側の説明に戻る。ステップＳ５４６では、情報処理装置１０１のＣＰＵ２１は、ＲＡＭ２２のワークエリアを参照して、撮影操作があったか否かを判定する。撮影操作とは、撮影自体を行うための操作であり、例えば図９の撮影画面において画面右上の「撮影」ボタン９３を押下する（又は液晶表示部６１のボタンをタッチする）操作を言う。撮影操作があったと判定した場合は、処理をステップＳ５４７に進め、撮影操作がなかったと判定した場合は、処理をステップＳ５４９に進める。
【００４４】
ステップＳ５４７では、情報処理装置１０１のＣＰＵ２１は、撮影操作に応じた撮影制御情報（例えばシャッターを押下することを命じる情報）をデジタルカメラ１００に送信後、処理をステップＳ５４８に進める。他方、デジタルカメラ１００のＣＰＵ１０３はステップＳ５２３で撮影制御情報を受信し、通信制御部１０２経由で、撮影制御部３０４に撮影制御情報を引き渡し処理をステップＳ５２４に進め、ステップＳ５２４では、デジタルカメラ１００のＣＰＵ１０３は撮影制御情報に応じた処理（撮影処理）を実行させ、撮影が終わると光学ユニット１０５の撮像素子からの出力をＤＳＰ１０４で処理し、処理済の画像データをメモリーカード１１１（画像記憶部３０８）に記憶した後、この画像データを情報処理装置１０１に送信する。
【００４５】
ステップＳ５４８では、情報処理装置１０１のＣＰＵ２１は、画像データをデジタルカメラ１００から受信し、ＲＡＭ２２のワークエリアに記憶し、図８の画面（後述のステップＳ５５１）で選択するテンプレートと画像データを合成し、図９の画面で合成した撮影画像を液晶表示部６１に表示し、その後でハードディスク２８に記憶している画像管理ファイル（画像ファイル名をキー項目とし、受信年月日時刻、印刷有無を示すフラグであって、ある画像が印刷された場合にオンになる印刷フラグ、特定の画像について撮影が取り消された場合（図９の撮影画面で「取消」ボタンが押下された場合）にオンになる削除フラグ、の各項目を記憶しているインデックスファイル）に今回受信した画像データの管理情報を１レコード分追加した後、処理をステップＳ５５０に進める。他方、撮影操作がなかった場合のステップＳ５４９では、情報処理装置１０１のＣＰＵ２１は、図９の画面においてライブビュー画像を液晶表示部６１に表示して処理をステップＳ５５０に進める。
【００４６】
ステップＳ５５０では、情報処理装置１０１のＣＰＵ２１は、ＲＡＭ２２のワークエリアを参照して、印刷設定操作があったか否かを判定する。印刷設定操作とは、印刷に係る設定を行うための操作であり、例えば図８のテンプレート選択画面におけるテンプレート８３乃至８６のいずれかをタッチする選択操作や図１０の印刷設定画面における印刷スタイル１００２乃至１００５のいずれかをタッチする選択操作を意味する。これらの印刷設定操作があったと判定した場合は、処理をステップＳ５５１に進め、印刷設定操作がなかったと判定した場合は、処理をステップＳ５５２に進める。
【００４７】
ステップＳ５５１では、情報処理装置１０１のＣＰＵ２１は、印刷設定操作の内容をＲＡＭ２２のワークエリアに記憶し、処理をステップＳ５５２に進める。
【００４８】
ステップＳ５５２では、情報処理装置１０１のＣＰＵ２１は、ＲＡＭ２２のワークエリアを参照して印刷操作があったか否かを判定する。印刷操作とは、印刷の開始を指示する旨の操作を意味し、例えば図１０の印刷設定画面で「印刷開始」ボタン１００７が押下された場合であり、印刷操作があったと判定した場合は処理をステップＳ５５３に進め、印刷操作がなかったと判定した場合は処理をステップＳ５５５に進める。
【００４９】
ステップＳ５５３では、情報処理装置１０１のＣＰＵ２１は、ステップＳ５５１で記憶した印刷設定を読み出して、印刷装置１１２と協働して印刷処理を実行し、印刷処理が正常終了した場合には、課金処理（投入した貨幣の金額から印刷枚数に応じた金額（例えば１枚１００円）を減ずる処理）を実行して、処理をステップＳ５５４に進める。ステップＳ５５４では、情報処理装置１０１のＣＰＵ２１は、画像管理ファイルの該当する画像ファイル名のレコードの印刷フラグをオンに更新して、処理をステップ５５５に進める。
【００５０】
ステップＳ５５５では、情報処理装置１０１のＣＰＵ２１は、ＲＡＭ２２のワークエリアを参照して終了操作があったか否かを判定する。終了操作とは、処理の終了を指示する旨の操作であり、例えば図１０の印刷設定画面で「終了」ボタンが押下された場合を意味する。終了操作があったと判定した場合は、「撮影した画像をメモリーカードに記憶しますか？」とのメッセージとＹｅｓボタン及びＮｏボタンとを不図示のダイアログに表示し、Ｎｏボタンが操作された場合はデジタルカメラ１００及び情報処理装置１０１に記憶されている撮影された画像データを消去後、残金の返却処理を行ってから処理を終了し、Ｙｅｓボタンが操作された場合はメモリーカードリーダ６２に挿入されたメモリーカードに撮影された画像データを記録後、デジタルカメラ１００及び情報処理装置１０１に記憶されている画像データを消去し、残金の返却処理を行ってから処理を終了する。終了操作がなかったと判定した場合は処理をステップＳ５４１に戻す。以上で図５の説明を終わる。
【００５１】
次に図４のステップＳ４４６の撮影・印刷処理（２）の詳細について、図６のフローチャートを用いて図５のフローチャートとの差異を中心に説明する。図６のフローチャートでステップＳ６４１乃至ステップ６５６は情報処理装置１０１のＣＰＵ２１の制御の下で実行する処理であり、ステップＳ６２１乃至ステップＳ６２４は、デジタルカメラ１００のＣＰＵ１０３の制御の下で実行する処理である。図６のフローチャートの処理はデジタルカメラ１００がファインダーモードで作動していることを前提としている。
【００５２】
図６のステップＳ６４１乃至ステップＳ６４８は、ぞれぞれ、図５のステップＳ５４１乃至ステップＳ５４８と同様の処理を実行しているので詳細な説明を省略する。但し、これらのステップでも以下の３点について図５と図６は処理が異なる。まず、ステップＳ６４１で画面を遷移する操作が行われた場合で図８の次の画面ボタン８２が操作された場合、図５では、図９のライブビューの画面が表示されるのに対して、図６ではファインダーモードであるため、図９の第１の撮影画面におけるプレビューの画像は表示されず、第２の撮影画面である図１１の画面で選択されたテンプレートとプレビューが表示されない旨と、撮影後数秒してから撮影された画像が表示される旨のメッセージが表示される。次にステップＳ６４６で撮影操作がなかったと判定した場合、処理をステップＳ６５１に進める点が図５と異なる。最後にステップＳ６４８ではステップＳ５４８と同様の処理を実行するが、撮影画像を表示する画面は図１２に示すように図９と一部異なる。具体的には「次のテンプレートと合成」ボタン１２０７が表示されている点が異なる。このボタンが操作された場合の処理は後述する。又ステップＳ６４８で図１２の画面を表示した後でステップＳ６４９に処理を進める点が図５と異なる。
【００５３】
次に図６のステップＳ６２１乃至ステップＳ６２４は、ぞれぞれ、図５のステップＳ５２１乃至ステップＳ５２４と同様の処理を実行しているので説明を省略する。
【００５４】
ステップＳ６４９では、情報処理装置１０１のＣＰＵ２１は、ＲＡＭ２２のワークエリアを参照して、図１２の画面で「次のテンプレートと合成」ボタン１２０７が操作されたかを判定し、操作されたと判定した場合は処理をステップＳ６５０に進め、操作されていないと判定した場合は処理をステップＳ６５１に進める。ステップＳ６５０では、情報処理装置１０１のＣＰＵ２１は図８の画面で選択されたテンプレート８３乃至８６の次のテンプレートに切替えて（テンプレート切替）デジタルカメラ１００から受信した画像データとを合成して液晶表示部６１に表示し（図１２の画面）、処理をステップＳ６５１に進める。このように構成することで、ライブビューモードと異なり、テンプレートと被撮影者との位置関係をリアルタイムに確認できないファインダーモードでも適切なテンプレートと撮影画像との組み合わせを容易に選択することができる。
【００５５】
次に図６のステップＳ６５１乃至ステップＳ６５６は、ぞれぞれ、図５のステップＳ５５０乃至ステップＳ５５５と同様の処理を実行しているので説明を省略する。以上で図６の説明を終わる。
【００５６】
［その他の実施例］
本実施形態における図４乃至図６のフローチャート及び，図７乃至図１２の各画面に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００５７】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００５８】
この場合、記録媒体から読み出されたプログラムコード自体が本発明の新規な機能を実現することになり、そのプログラムコードを記憶した記録媒体は本発明を構成することになる。
【００５９】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００６０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００６１】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【００６３】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【符号の説明】
【００６４】
２０  バス
２１  ＣＰＵ
２２  ＲＡＭ
２３  ＲＯＭ
２４  ＮＩＣ
２５  ＶＧＡ
２６  キーボード（ＫＢ）
２７  マウス
２８  ハードディスク（ＨＤＤ）
２９  ＤＶＤドライブ
１００  デジタルカメラ
１０１  情報処理装置
１０２  通信制御部
１０３  ＣＰＵ
１０４  ＤＳＰ
１０５  光学ユニット
１０６  主記憶部
１０７  二次記憶部
１０８  操作部
１０９  表示部
１１０  ＲＯＭ
１１１  メモリーカード
１１２  印刷装置
【図１】
2011035653.tif 000003
【図２】
2011035653.tif 000004
【図３】
2011035653.tif 000005
【図４】
2011035653.tif 000006
【図５】
2011035653.tif 000007
【図６】
2011035653.tif 000008
【図７】
2011035653.tif 000009
【図８】
2011035653.tif 000010
【図９】
2011035653.tif 000011
【図１０】
2011035653.tif 000012
【図１１】
2011035653.tif 000013
【図１２】
2011035653.tif 000014
【図１３】
2011035653.tif 000015